(57)【要約】【課題】低消費電力で物体の存在を正確に感知することができる表示装置及びこれの駆動方法を供給する。【解決手段】本発明の表示装置は、ラジエーションをセンシングして物体の存在を感知するセンシング回路と、センシング回路にラジエーションを供給するラジエーションソースアレイとを含む。第１信号をセンシング回路のスキャンラインに供給して第１フレーム区間の間センサを順に駆動させる。第２信号をラジエーションソースアレイに供給してラジエーションソースアレイの他の部分を選択的に駆動させる。第１及び第２信号のタイミングは互いに同期し、駆動されたセンサにラジエーションを供給するラジエーションソースアレイの一部分をターンオンさせる。【選択図】図１
2011108240.tif 000002
【特許請求の範囲】
【請求項１】
物体の存在を感知することのできる表示装置の駆動方法であって、
ラジエーションをセンシングすることによって物体の存在を感知し、第１信号を受信するスキャンラインを含むセンシング回路に、前記第１信号を供給する段階と、
前記センシング回路に前記ラジエーションを供給するラジエーションソースアレイに第２信号を供給して、前記ラジエーションソースアレイに具備されたラジエーションソースを選択的に駆動させる段階と、
前記第１及び第２信号のタイミングを同期化して前記センシング回路の前記第１信号を受信する一部分に、前記ラジエーションを供給する段階と、を含むことを特徴とする表示装置の駆動方法。
【請求項２】
前記ラジエーションソースをｐ個のグループに分割する段階と、前記第１信号を受信するスキャンラインに応じて前記第２信号で前記ｐグループを選択的に駆動させる段階とをさらに含み、前記ｐグループは第１グループ及び第２グループを含むことを特徴とする請求項１に記載の表示装置の駆動方法。
【請求項３】
前記ｐグループは１区間に一つずつ順に駆動されることを特徴とする請求項２に記載の表示装置の駆動方法。
【請求項４】
前記ｐグループは前記スキャンラインと同一の方向に配列され、前記方向は第１方向であることを特徴とする請求項２に記載の表示装置の駆動方法。
【請求項５】
前記ｐグループの各々は第２方向に沿ってｍ個のサブグループにさらに分割されることを特徴とする請求項４に記載の表示装置の駆動方法。
【請求項６】
前記第１グループの前記サブグループをＡ３時間の間、同時に駆動させる段階をさらに含み、
前記Ａ３時間はＡ１時間をｐｍで割った時間であり、前記Ａ１時間はＦＲ１時間をｐで割った時間であり、前記ＦＲ１時間は１フレーム区間であることを特徴とする請求項５に記載の表示装置の駆動方法。
【請求項７】
前記第１グループのサブグループを同時に駆動させる間、前記第２グループをプリチャージさせる段階と、前記プリチャージ区間の間、前記第２グループのサブグループを順に駆動させる段階とをさらに含むことを特徴とする請求項６に記載の表示装置の駆動方法。
【請求項８】
第１フレーム区間の間、パワーオンされた後、前記第１グループが駆動されることを抑制する段階をさらに含むことを特徴とする請求項５に記載の表示装置の駆動方法。
【請求項９】
前記ｐグループの各々をＡ１時間の間駆動させる段階をさらに含み、前記Ａ１時間はＦＲ１時間をｐで割った時間であり、前記ＦＲ１時間は１フレーム区間であることを特徴とする請求項２に記載の表示装置の駆動方法。
【請求項１０】
前記第１信号は前記Ａ１時間の間供給されることを特徴とする請求項９に記載の表示装置の駆動方法。
【請求項１１】
前記ラジエーションソースを駆動させるＰＷＭ信号によって前記ラジエーションソースの前記ｐグループをターンオンさせる段階と、前記ＰＷＭ信号の振幅によって前記ターンオン区間を調整する段階とをさらに含むことを特徴とする請求項２に記載の表示装置の駆動方法。
【請求項１２】
Ａ１時間より短い時間の間、前記ｐグループの各々を駆動させる段階をさらに含み、前記Ａ１時間はＦＲ１時間をｐで割った時間であり、前記ＦＲ１時間は１フレーム区間であり、他のグループの連続するターンオン区間の間には時間間隔が存在することを特徴とする請求項２に記載の表示装置の駆動方法。
【請求項１３】
前記ターンオン区間は部分的にオーバーラップされ、オーバーラップされる区間の間、前記ラジエーションソースの二つのグループには前記第２信号が同時に印加されることを特徴とする請求項２に記載の表示装置の駆動方法。
【請求項１４】
前記ｐグループのうち少なくとも一つは、１フレーム区間のうち所定の時間の間駆動されることを特徴とする請求項２に記載の表示装置の駆動方法。
【請求項１５】
前記ｐグループのうち少なくともいくつかのグループは、周期的に同時に駆動されることを特徴とする請求項２に記載の表示装置の駆動方法。
【請求項１６】
前記ｐグループの各々は、同一の個数のラジエーションソースを含むことを特徴とする請求項２に記載の表示装置の駆動方法。
【請求項１７】
前記ｐグループは、互いに異なる個数のラジエーションソースを含むことを特徴とする請求項２に記載の表示装置の駆動方法。
【請求項１８】
前記第１信号は前記第２信号より高い周波数を有することを特徴とする請求項１に記載の表示装置の駆動方法。
【請求項１９】
前記ラジエーションソースは赤外線発光ダイオードからなることを特徴とする請求項１に記載の表示装置の駆動方法。
【請求項２０】
前記ラジエーションソースは赤外線ＬＥＤ及びホワイトＬＥＤからなることを特徴とする請求項１に記載の表示装置の駆動方法。
【請求項２１】
物体を検知することのできる表示装置の駆動方法であって、
赤外線ラジエーションソースのアレイを複数のグループに分割する段階と、
複数のグループを１区間に一つずつ順に駆動させる段階と、を含むことを特徴とする表示装置の駆動方法。
【請求項２２】
物体の存在を感知するセンシング回路に印加される信号を前記グループのターンオン区間に同期させる段階をさらに含むことを特徴とする請求項２１に記載の表示装置の駆動方法。
【請求項２３】
物体検知のための信号を受信するセンシング回路の一部分にラジエーションを供給して前記グループを駆動させる段階をさらに含み、駆動された他のグループは、物体検知のための前記信号が前記センシング回路の他の部分に印加されるときに駆動されることを特徴とする請求項２１に記載の表示装置の駆動方法。
【請求項２４】
それぞれ、スキャンラインと、物体が検知されて前記スキャンラインが第１信号を受信すると検知信号を出力するセンシングトランジスタとを含むセンシング回路のセンサアレイと、
前記センサアレイに接続され、前記センシングトランジスタに前記物体を検知するために用いられるラジエーションを発生するラジエーションソースアレイと、を含み、
前記センシング回路は前記第１信号の順序によって順に駆動され、前記ラジエーションソースアレイに具備されたラジエーションソースは前記第１信号に同期する第２信号によって駆動されることを特徴とする表示装置。
【請求項２５】
前記ラジエーションソースはｐグループに分割され、前記ｐグループは、前記スキャンラインが前記第１信号を受信することによって選択的に駆動され、前記Ｐグループは第１グループ及び第２グループを含むことを特徴とする請求項２４に記載の表示装置。
【請求項２６】
前記ｐグループは、１区間に一つずつ順に駆動されることを特徴とする請求項２４に記載の表示装置。
【請求項２７】
前記ｐグループは、前記スキャンラインと同一の方向に配列され、前記方向は第１方向であることを特徴とする請求項２４に記載の表示装置。
【請求項２８】
前記ｐグループの各々は第２方向に沿ってｍ個のサブグループに分割されることを特徴とする請求項２７に記載の表示装置。
【請求項２９】
前記第１グループの前記サブグループをＡ３時間の間、同時に駆動させる段階をさらに含み、
前記Ａ３時間はＡ１時間をｐｍで割った時間であり、前記Ａ１時間はＦＲ１時間をｐで割った時間であり、前記ＦＲ１時間は１フレーム区間であることを特徴とする請求項２８に記載の表示装置。
【請求項３０】
前記第２グループは、前記第１グループの前記サブグループが同時にターンオンされる区間の間、順にターンオンされることによってプリチャージされることを特徴とする請求項２９に記載の表示装置。
【請求項３１】
第１フレーム区間の間、パワーオンされた後、前記第１グループは駆動されないことを特徴とする請求項２８に記載の表示装置。
【請求項３２】
前記ｐグループの各々をＡ１時間の間駆動させる段階をさらに含み、前記Ａ１時間はＦＲ１時間をｐで割った時間であり、前記ＦＲ１時間は１フレーム区間であることを特徴とする請求項２５に記載の表示装置。
【請求項３３】
前記第１信号は前記Ａ１時間の間供給されることを特徴とする請求項３２に記載の表示装置。
【請求項３４】
前記ラジエーションソースの前記ｐグループはラジエーションソースを駆動するＰＷＭ信号によってターンオンされ、前記ＰＷＭ信号の振幅によって前記ターンオン区間が調整されることを特徴とする請求項２５に記載の表示装置。
【請求項３５】
Ａ１時間より短い時間の間、前記ｐグループの各々を駆動させる段階をさらに含み、前記Ａ１時間はＦＲ１時間をｐで割った時間であり、前記ＦＲ１時間は１フレーム区間であり、他のグループの連続するターンオン区間の間には時間間隔が存在することを特徴とする請求項２５に記載の表示装置。
【請求項３６】
前記ターンオン区間は部分的にオーバーラップされ、オーバーラップされる区間の間、ラジエーションソースの二つのグループには前記第２信号が同時に印加されることを特徴とする請求項２５に記載の表示装置。
【請求項３７】
前記ｐグループのうちの少なくとも一部は周期的に同時に駆動されることを特徴とする請求項２５に記載の表示装置。
【請求項３８】
前記ｐグループの各々は、同一の個数のラジエーションソースを含むことを特徴とする請求項２５に記載の表示装置。
【請求項３９】
前記ｐグループは、互いに異なる個数のラジエーションソースを含むことを特徴とする請求項２５に記載の表示装置。
【請求項４０】
前記第１信号は前記第２信号より高い周波数を有することを特徴とする請求項２４に記載の表示装置。
【請求項４１】
前記ラジエーションソースは赤外線ＬＥＤからなることを特徴とする請求項２４に記載の表示装置。
【請求項４２】
前記ラジエーションソースは赤外線ＬＥＤ及びホワイトＬＥＤからなることを特徴とする請求項２４に記載の表示装置。
【請求項４３】
映像を表示する表示パネルと、
前記表示パネルに可視光線光を供給するラジエーションソースアレイと、をさらに含むことを特徴とする請求項２４に記載の表示装置。
【請求項４４】
物体の存在を感知するセンサアレイのスキャンラインを順に駆動させるセンサドライバと、
物体の存在を感知するために前記センサアレイによって用いられるラジエーションを発生するラジエーションソースアレイと、
前記スキャンラインが駆動されることによって、前記ラジエーションソースアレイの一部分を選択的に駆動させるバックライトドライバと、を含むことを特徴とする表示装置。 
【発明の詳細な説明】
【技術分野】
【０００１】
本発明は表示装置に関し、さらに詳細には、物体センシング（ｏｂｊｅｃｔ−ｓｅｎｓｉｎｇ）（例えば、タッチセンシング）表示装置に関する。
【背景技術】
【０００２】
物体センシング装置は、物体の存在（ｐｒｅｓｅｎｃｅ）を感知（ｓｅｎｓｉｎｇ）することのできる装置であり、装置上の物体の位置を判断することもできる。表示装置内に物体を感知する機能を追加することへの要求が増加するにつれて、表示装置自体がユーザの入力装置として用いられ、キーボード、キーパッド及びマウスのようなかさばる部品が不要になった。物体センシング表示装置を用いることによって、例えば、ユーザは文字入力または選択のために、表示ディスプレイ上のボタンのイメージをタッチすることができる。物体センシング表示装置は、現金自動預金支払機（ＡＴＭｓ）、携帯電話、及び携帯情報端末機（ＰＤＡｓ）のような製品に用いることができる。
【０００３】
物体感知機能が付加的な機能として要求されるようになるにつれて、物体感知機能を追加することにより、表示装置の消費電力が増加するようになっている。このため、実用的な観点及び環境的な観点から、物体センシング表示装置には、消費電力を減少させることが求められている。
【先行技術文献】
【特許文献】
【０００４】
【特許文献１】韓国特許出願公開２００９−００６５４３号明細書
【発明の概要】
【発明が解決しようとする課題】
【０００５】
本発明の目的は、物体の存在を感知することのできる表示装置を提供することにある。さらに本発明の他の目的は、前記表示装置の駆動に適用される表示装置の駆動方法を提供することにある。
【課題を解決するための手段】
【０００６】
本発明の一実施形態は、物体の存在（例えば、接触）を感知することのできる表示装置の駆動方法に関する。前記表示装置の駆動方法は、先ず、ラジエーション（ｒａｄｉａｔｉｏｎ）をセンシングすることによって物体の存在を感知し、第１信号を受信するスキャンラインを含むセンシング回路に、前記第１信号を供給する。次に、前記センシング回路に前記ラジエーションを供給するラジエーションソースアレイ（ｒａｄｉａｔｉｏｎ  ｓｏｕｒｃｅ  ａｒｒａｙ）に第２信号を供給して、前記ラジエーションソースアレイに具備されたラジエーションソースを選択的に駆動させる。以後、前記第１及び第２信号のタイミングを同期化して前記センシング回路の前記第１信号を受信する一部分に前記ラジエーションを供給する。
【０００７】
本発明の他の実施形態は、物体の存在を感知することのできる表示装置の駆動方法に関する。前記表示装置の駆動方法によれば、赤外線ラジエーションソース（ｉｎｆｒａｒｅｄ  ｒａｄｉａｔｉｏｎ  ｓｏｕｒｃｅ）のアレイを複数のグループに分割し、複数のグループを１区間に一つずつ順に駆動（ａｃｔｉｖａｔｅ）させる。
【０００８】
本発明のまた他の実施形態は、センサアレイ及び前記センサアレイにそれぞれ接続されたラジエーションソースアレイを含む表示装置に関する。前記センサアレイはそれぞれ、スキャンラインと、物体が検知されて前記スキャンラインが第１信号を受信すると検知信号（ｄｅｔｅｃｔｉｏｎ  ｓｉｇｎａｌ）を出力するセンシングトランジスタを含むセンシング回路を含む。前記ラジエーションソースアレイは、前記センサアレイに接続され、前記センシングトランジスタに前記物体を検知するために用いられるラジエーションを供給する。ここで、前記センシング回路は前記第１信号の順序によって順に駆動され、前記ラジエーションソースアレイに具備されたラジエーションソースは前記第１信号に同期する第２信号によって駆動される。 
【０００９】
一般的に、物体の存在を感知するための表示装置の１つの方法として、表示パネルに具備されたスキャンラインを有するセンシング回路を用いる方法がある。物体がタッチされ、または表示パネル上の１つの地点が活性化（ａｃｔｉｖａｔｅ）されるときに、この地点に近接するスキャンラインが信号を生成することにより、物体の位置及び存在を表すことができる。スキャンラインの信号は、例えば、物体により反射されたラジエーションを受信することにより生成され得る。この場合、ラジエーションソースは表示装置内に実装され、物体により反射されるラジエーションを供給し、センシング回路によりラジエーションが感知される。一般的に、ラジエーションソースは連続してターンオン（ｔｕｒｎ  ｏｎ）され、物体がいつ出現したかを正確に検知することができる。
【００１０】
本発明は物体により反射されたラジエーションを検知するスキャンラインが連続してターンオンされない場合にも正確に物体を検知し、消費電力を減少させることができる。例えば、スキャンラインは表示パネルの一端部から他の端部まで順にスキャンされる。スキャン周波数（ｓｃａｎｎｉｎｇ  ｆｒｅｑｕｅｎｃｙ）は、物体が存在する周期（ｄｕｒａｔｉｏｎ）（例えば、人がタッチしている周期）の標準的周期よりも相対的に高いため、全てのスキャンラインが連続してターンオンされていなくても、物体の存在、またはタッチを感知することができる。本発明は全てのラジエーションソースを連続してターンオンさせずに、ラジエーションソースを複数のグループに分割し、ラジエーションソースのうち必要な所定のグループを選択的に駆動することにより、消費電力を減少させることができる。例えば、物体は活性化されたスキャンラインにより感知されるため、活性化されたスキャンラインに近接するラジエーションソースをターンオンさせ、他の残りのラジエーションソースはターンオフする。このような方法によれば、活性化されたスキャンラインに近接していないラジエーションソースをターンオンさせることによる電力浪費を防止することができる。このように、物体感知機能を有し、電力消費の効率性を向上させることが可能な表示装置及びこの検知方法について、以下、説明する。
【００１１】
なお、ここで、‘ライトソース（ｌｉｇｈｔ  ｓｏｕｒｃｅ）’は可視光線を出力し、‘ラジエーションソース’は物体を感知するために使用されるラジエーションを出力するものとし、ラジエーションは、可視光（例えば、白色光など）、非可視光（例えば、赤外線）、またはこれら２つの組み合わせであり得るものとする。
【発明の効果】
【００１２】
このような表示装置によれば、表示パネルに具備されたセンサにラジエーションを供給するラジエーションソースをｐ個のブロックに分割し、各ブロックを、各ブロックに対応するセンサがターンオンされる区間内でターンオンさせることによって、バックライトユニットで消費される電力を節減することができる。
【００１３】
したがって、各ブロックを１フレーム区間の間連続してターンオンさせるバックライトユニットに比較して、１／ｐ程度の消費電力を減少させることができる。
【図面の簡単な説明】
【００１４】
【図１】本発明の一実施形態に係る表示装置の断面図である。
【図２】図１に示したＢ部分の拡大図である。
【図３】図１に示した表示装置のブロック図である。
【図４】図１に示したバックライトユニットの平面図である。
【図５】本発明の他の実施形態に係るバックライトユニットの平面図である。
【図６】図４に示したブロックのターンオン区間を示すタイミング図である。
【図７】図４に示したラジエーションソースに供給される駆動電流が増加された場合のブロックのターンオン時間を示すタイミング図である。
【図８】本発明の他の実施形態に係るバックライトユニットの平面図である。
【図９Ａ】図８に示したスキャンラインに印加されるスキャン信号とサブブロックのターンオン区間の同期化を示すタイミング図である。
【図９Ｂ】図８に示したサブグループに印加されるＰＷＭ信号を示すタイミング図である。
【図１０Ａ】本発明の他の実施形態に係るサブグループのターンオン区間とスキャン信号との間の同期化を示すタイミング図である。
【図１０Ｂ】本発明の他の実施形態に係るサブグループに印加されるＰＷＭ信号を示すタイミング図である。
【図１１】本発明の他の実施形態に係る表示装置の断面図である。
【図１２】図１１に示したバックライトユニットの平面図である。
【発明を実施するための形態】
【００１５】
以下、添付の図面を参照して本発明の望ましい実施形態をより詳細に説明する。
【００１６】
図１は、本発明の一実施形態に係る表示装置の断面図である。図１に示すように、表示装置３００は、映像を表示する表示パネル１００と、表示パネル１００を照明するバックライトユニット２００とを含む。表示パネル１００は下部基板１１０、下部基板１１０と対向する上部基板１２０、下部基板１１０と上部基板１２０との間に介在された液晶層１２５からなる。
【００１７】
バックライトユニット２００は表示パネル１００の下部に配置された回路基板２０１、回路基板２０１上に実装されてホワイト光Ｌ１を出射する複数のライトソース２１０、回路基板２０１上に実装されて赤外線Ｌ２を出射する複数のラジエーションソース２２０を含む。
【００１８】
図１に示した実施形態において、ライトソース２１０とラジエーション２２０は互いに交互に配置される。具体的に、互いに隣接する二つのライトソース２１０の間に少なくとも一つのラジエーションを配置してもよい。また、 ライトソース２１０とラジエーション２２０の各々は発光ダイオードを含んでもよい。以下、詳細に説明するように、ライトソース２１０は映像の表示に利用され、ラジエーション２２０は物体の感知に利用される。
【００１９】
図２は、図１に示したＢ部分の拡大図である。図２に示すように、下部基板１１０は第１ベース基板１１１及び第１ベース基板１１１上に具備された複数の画素を含む。図２において、各画素はレッド、グリーン及びブルー色画素Ｒ、Ｇ、Ｂのうちのいずれか一つ及びいずれか一つの色画素上に配置された画素電極１１５を含む。各画素は色画素Ｒ、Ｇ、Ｂ及び画素電極１１５以外にも薄膜トランジスタをさらに含んでもよい。各画素の構成については、以下図３を参照して具体的に説明する。
【００２０】
色画素Ｒ、Ｇ、Ｂの間にはブラックマトリックス１１２が具備され、色画素Ｒ、Ｇ、Ｂは有機絶縁膜１１４によってカバーされる。画素電極１１５は有機絶縁膜１１４上に具備される。
【００２１】
上部基板１２０は第１ベース基板１１１と対向する第２ベース基板１２１及び下部基板１１０と対向する第２ベース基板１２１の下面上に具備された複数のセンサＳＮ（図３に示す）を含む。複数のセンサＳＮの各々はセンシング素子（以下、センシングトランジスタという）ＳＴ１を含む。例えば、センシングトランジスタＳＴ１はアモルファスシリコントランジスタであってもよい。
【００２２】
上部基板１２０はセンサＳＮをカバーする絶縁膜１２２及び絶縁膜１２２上に具備され、画素電極１１５と対向する共通電極１２３をさらに含む。画素電極１１５、共通電極１２３、及び液晶層１２５によって液晶キャパシタＣｌｃが形成される。
【００２３】
図２は、色画素Ｒ、Ｇ、Ｂが下部基板１１０側に具備された構造を示したが、色画素Ｒ、Ｇ、Ｂは上部基板１２０側に具備されても良い。
【００２４】
図２に示すように、ライトソース２１０から出射されたホワイト光Ｌ１は表示パネル１００に入射され、入射されたホワイト光Ｌ１は液晶層１２５を通過する。液晶層１２５の光透過率は画素電極１１５と共通電極１２３との間に形成された電界によってコントロールされる。すなわち、表示パネル１００は液晶層１２５によってホワイト光Ｌ１の透過率をコントロールすることによって所望する階調の映像を表示することができる。
【００２５】
一方、 ラジエーション２２０から出射された赤外線Ｌ２は表示パネル１００に入射された後に表示パネル１００を通過する。表示パネル１００を通過した赤外線Ｌ２はユーザには見えないので、ユーザが表示パネル１００に表示された映像を認識することには影響を与えない。
【００２６】
ラジエーション２２０から出射された赤外線Ｌ２の一部分は表示パネル１００内に具備された複数の層によって反射される。反射されない赤外線Ｌ２の一部分は表示パネル１００を通過して表示パネル１００の外側に放射される。表示パネル１００上に物体（例えば、ユーザの指）１０が存在すれば、赤外線Ｌ２は物体１０によって反射される。
【００２７】
物体１０によって反射された赤外線Ｌ２はセンサトランジスタＳＴ１を通じてセンシングされる。すなわち、反射された赤外線Ｌ２がセンシングトランジスタＳＴ１に入射されると、センシングトランジスタＳＴ１は反射された赤外線Ｌ２の光量を示す信号を出力する。第１センシングトランジスタＳＴ１はアモルファスシリコン層を含んでもよい。表示装置３００はタッチにより生じる信号を用いて、表示装置３００の表面上の物体の位置を判断する。
【００２８】
センシングトランジスタＳＴ１が上部基板１２０に具備されると、センシングトランジスタＳＴ１が下部基板１１０に具備された場合より、物体１０とセンシングトランジスタＳＴ１との間の距離が短くなる。したがって、センシングトランジスタＳＴ１の感度を向上させることができ、タッチされた地点を正確にセンシングすることができる。また、センシングトランジスタＳＴ１をブラックマトリックス１１２をオーバーラップするように形成することによって、表示パネル１００の開口率を向上させることができる。
【００２９】
図２はセンサＳＮを表示パネル１００に内蔵した構造を示したが、本発明の他の実施形態において、センサＳＮを含むタッチパネル（図示せず）を表示パネル１００の上側に具備してもよい。また、センサトランジスタＳＴ１を下部基板１１０上に具備してもよい。
【００３０】
図３は、図１に示した表示装置のブロック図である。図３に示すように、表示装置３００はタイミングコントローラ１３０、データドライバ１５０、ゲートドライバ１４０、リードアウト回路１７０、センサドライバ１６０、及び表示パネル１００を含む。
【００３１】
タイミングコントローラ１３０は表示装置３００の外部から複数の映像信号ＲＧＢ及び複数の制御信号ＣＳを受信する。タイミングコントローラ１３０はデータドライバ１５０とのインターフェース仕様が適合するように、映像信号ＲＧＢのデータフォーマットを変換し、変換された映像信号Ｒ’Ｇ’Ｂ’をデータドライバ１５０に供給する。また、タイミングコントローラ１３０は、データ制御信号（例えば、出力開始信号ＴＰ、水平開始信号ＳＴＨなど）をデータドライバ１５０に供給し、ゲート制御信号（例えば、垂直開始信号ＳＴＶ１、垂直クロック信号ＣＫ１、及び垂直クロックバー信号ＣＫＢ１）をゲートドライバ１４０に供給する。
【００３２】
ゲートドライバ１４０は、タイミングコントローラ１３０から供給されるゲート制御信号（垂直開始信号ＳＴＶ１、垂直クロック信号ＣＫ１、垂直クロックバー信号ＣＫＢ１）に応答してゲート信号Ｇ１〜Ｇｎを順に出力する。
【００３３】
データドライバ１５０は、タイミングコントローラ１３０から供給されるデータ制御信号（出力開始信号ＴＰ、水平開始信号ＳＴＨ）に応答して映像信号Ｒ’Ｇ’Ｂ’をデータ電圧Ｄ１〜Ｄｍに変換して出力する。出力されたデータ電圧Ｄ１〜Ｄｍは、表示パネル１００に印加される。
【００３４】
表示パネル１００には複数の画素ＰＸ及び複数のセンサＳＮが具備される。すなわち、複数の画素ＰＸと複数のセンサＳＮは表示パネル１００に内蔵される。特に、複数の画素ＰＸは下部基板１１０に具備され、複数のセンサＳＮは上部基板１２０に具備される。
【００３５】
画素ＰＸの各々は互いに同一の構造を有するので、ここでは一つの画素に対する構成を一例として説明する。下部基板１１０には、複数のゲートラインＧＬ、複数のゲートラインＧＬと交差する複数のデータラインＤＬ及び複数の画素ＰＸが具備される。各画素ＰＸは、薄膜トランジスタＰＴ、液晶キャパシタＣｌｃ及びストレージキャパシタＣＳＴを含む。薄膜トランジスタＰＴのゲート電極は複数のゲートラインＧＬのうち対応するゲートラインに接続され、ソース電極は複数のデータラインＤＬのうち対応するデータラインに接続され、ドレイン電極は液晶キャパシタＣｌｃ及びストレージキャパシタＣＳＴに接続される。
【００３６】
複数のゲートラインＧＬはゲートドライバ１４０に接続され、複数のデータラインＤＬはデータドライバ１５０に接続される。複数のゲートラインＧＬはゲートドライバ１４０から供給されるゲート信号Ｇ１〜Ｇｎを受信し、複数のデータラインＤＬはデータドライバ１５０から供給されるデータ電圧Ｄ１〜Ｄｍを受信する。したがって、薄膜トランジスタＰＴは対応するゲートラインに供給されるゲート信号に応答してターンオンされ、対応するデータラインに供給されたデータ電圧は、ターンオンされた薄膜トランジスタＰＴを通じて液晶キャパシタＣｌｃに充電される。したがって、各画素ＰＸはデータ電圧に対応する映像を表示することができる。
【００３７】
センサＳＮの各々は互いに同一の構造を有するので、ここでは一つのセンサに対する構成を一例として説明する。上部基板１２０には、複数のスキャンラインＳＬ、複数のスキャンラインＳＬと交差する複数のリードアウトラインＲＬ及び複数のセンサＳＮが具備される。各センサＳＮは、センサトランジスタＳＴ１、スイッチングトランジスタＳＴ２及びキャパシタＣｓを含む。スイッチングトランジスタＳＴ２の第１電極は複数のスキャンラインＳＬのうち対応するスキャンラインＳＬに接続され、第２電極は複数のリードアウトラインＲＬのうち対応するリードアウトラインＲＬに接続され、第３電極はキャパシタＣｓとセンサトランジスタＳＴ１に接続される。
【００３８】
キャパシタＣｓの第１電極はスイッチングトランジスタＳＴ２の第３電極に接続され、第２電極には接地電圧が印加される。また、センサトランジスタＳＴ１の第１電極はスイッチングトランジスタＳＴ２の第３電極に接続され、第２電極にはバイアス電圧が印加され、第３電極はキャパシタＣｓの第１電極に接続される。
【００３９】
したがって、センサトランジスタＳＴ１は、物体１０から反射された赤外線Ｌ２をセンシングし、反射された赤外線Ｌ２の光量に対応する信号を出力する。センサトランジスタＳＴ１から出力された信号によってキャパシタＣｓに充電された電圧が変わる。すなわち、反射された赤外線Ｌ２の光量が増加するほどキャパシタＣｓに充電された電圧も増加することとなる。
【００４０】
複数のスキャンラインＳＬは、センサドライバ１６０に接続されて複数のスキャン信号Ｓ１〜ＳＮを各々順に受信する。センサドライバ１６０はセンサ制御信号ＳＴＶ２、ＣＫ２、ＣＫＢ２をタイミングコントローラ１３０から受信して、スキャン信号Ｓ１〜ＳＮを出力する。センサ制御信号ＳＴＶ２、ＣＫ２、ＣＫＢ２はゲート制御信号ＳＴＶ１、ＣＫ１、ＣＫ１に同期した信号であってもよい。
【００４１】
リードアウトラインＲＬは、リードアウト回路１７０に接続されて対応するセンサＳＮに充電された電圧をリードアウト回路１７０に供給する。各センサＳＮは、対応するスキャン信号に応答してスイッチングトランジスタＳＴ２がターンオンされると、キャパシタＣｓに充電された電圧をターンオンされたスイッチングトランジスタＳＴ２を通じて対応するリードアウトラインＲＬに供給する。
【００４２】
したがって、リードアウト回路１７０は、センサＳＮに受信された電圧をタイミングコントローラ１３０に供給し、タイミングコントローラ１３０は、スキャン信号が発生された時点及び受信されたリードアウト（ｒｅａｄ−ｏｕｔ）に基づいて物体１０によってタッチされた地点の２次元座標値を生成することができる。
【００４３】
図４は、図１に示したバックライトユニットの平面図である。図４に示すように、バックライトユニット２００は、回路基板２０１、回路基板２０１上に実装されてホワイト光Ｌ１（図２に示す）を出射する複数のライトソース２１０及び回路基板２０１上に実装されて赤外線Ｌ２（図２に示す）を出射する複数の ラジエーション２２０を含む。
【００４４】
ライトソース２１０はマトリックス状に配置され、ラジエーション２２０はライトソース２１０とは異なる位置に具備され、マトリックス状に配置される。なお、ラジエーション２２０の配置構造はこれに限定されず、ラジエーション２２０の全体の個数に応じて変化し得る。
【００４５】
本発明の一例として、図４に示すように、ラジエーション２２０はライトソース２１０とほぼ同一の個数としてバックライトユニット２００に具備されてもよい。図４において、行方向Ｄ２に互いに隣接する二つのライトソース２１０の間の第１間隔Ｐ１は約２７ｍｍとして、第１方向Ｄ１に互いに隣接する二つのライトソース２１０の間の第２間隔Ｐ２は約２７ｍｍとして設定されている。また、第２方向Ｄ２に互いに隣接する二つのラジエーション２２０の間の第３間隔Ｐ３は約２７ｍｍとして、第１方向Ｄ１に互いに隣接する二つのラジエーション２２０の間の第４間隔Ｐ４は約２７ｍｍとして設定されている。ラジエーション２２０の個数が増加すれば、第３及び第４間隔Ｐ３、Ｐ４は小さくなってもよい。
【００４６】
図５は、本発明の他の実施形態に係るバックライトユニットの平面図である。図５はラジエーション２２０の個数がライトソース２１０の個数より約２倍多いバックライトユニット２０５を示す。図５において、行方向Ｄ２に互いに隣接する二つのライトソース２１０の間の第１間隔Ｐ１は約２７ｍｍとして設定され、第１方向Ｄ１に互いに隣接する二つのライトソース２１０の間の第２間隔Ｐ２は約２７ｍｍとして設定される。また、行方向Ｄ２に互いに隣接する二つのラジエーション２２０の間の第５間隔Ｐ５は約２０ｍｍとして設定され、第１方向Ｄ１に互いに隣接する二つのラジエーション２２０の間の第６間隔Ｐ６は約１９ｍｍとして設定される。
【００４７】
一方、図４及び図５に示すように、ラジエーション２２０は表示装置１００が映像を表示するために利用される光源ではないので、ラジエーション２２０をライトソース２１０より回路基板２０１の内側に配置してもよい。回路基板２０１の第１辺ＳＳ１とこれに最も隣接するライトソース２１０との間の距離ｄ１は約１０〜１３ｍｍとして設定され、第１辺ＳＳ１とこれに最も隣接するラジエーション２２０との間の距離ｄ２は約３０ｍｍとして設定される。第１辺ＳＳ１は矩形状の回路基板２０１の短辺である。また、第１辺ＳＳ１と平行な第２辺ＳＳ２とライトソース２１０とラジエーション２２０との間の距離は、第１辺ＳＳ１とライトソース２１０とラジエーション２２０との間の距離と同様に設定される。
【００４８】
また、回路基板201の第３辺ＬＳ１とこれに最も隣接するライトソース２１０との間の距離ｄ３は約１３ｍｍとして設定され、第３辺ＬＳ１とこれに最も隣接するラジエーション２２０との間の距離ｄ４は約２７ｍｍとして設定される。第３辺ＬＳ１は矩形状の回路基板201の長辺であり得る。また、第３辺ＬＳ１と平行な第４辺ＬＳ４とライトソース２１０とラジエーション２２０との間の距離は、第３辺ＬＳ１とライトソース２１０とラジエーション２２０との間の距離と同様に設定される。
【００４９】
一方、バックライトユニット２００、２０５は、第１方向Ｄ１に沿って分割されたｐ（ｐは２以上の自然数）個のグループ（以下、第１〜第６グループＧ１〜Ｇ６）に区分される。第１方向Ｄ１はセンサのスキャンラインＳＬが配列される方向である。各グループＧ１〜Ｇ６にはラジエーション２２０が具備される。各グループＧ１〜Ｇ６に具備されるラジエーション２２０の個数はそれぞれ同一であってもよい。本発明の一例として、各グループＧ１〜Ｇ６には１９２個のラジエーション２２０が具備されてもよい。また、図４では６個のグループＧ１〜Ｇ６を示したが、グループの個数はこれに限定されない。
【００５０】
第１〜第６グループＧ１〜Ｇ６の各々は、互いに異なる区間でターンオンされてもよい。第１〜第６グループＧ１〜Ｇ６の各々のターンオン区間は図５及び図６を参照して具体的に説明する。
【００５１】
図６は、図４に示したグループのターンオン区間及びセンサに印加されるスキャン信号がラジエーション２２０に印加されるパルス幅変調信号（ＰＷＭ）に同期する方法を示すタイミング図である。
【００５２】
図６に示すように、第１〜第６グループＧ１〜Ｇ６は、第１ＰＷＭ信号ＰＳ１〜第６ＰＷＭ信号ＰＳ６をそれぞれ受信する。第１〜第６ＰＷＭ信号ＰＳ１〜ＰＳ６は１フレームＦＲ１の間、順に生成される。例えば、第１〜第６ＰＷＭ信号ＰＳ１〜ＰＳ６のハイ区間（ｈｉｇｈ  ｄｕｒａｔｉｏｎ）は第１区間Ａ１として定義される。
【００５３】
各グループＧ１〜Ｇ６に対応して表示パネル１００にはｋ個のスキャンラインを具備することができる。すなわち、表示パネル１００には全体としてｎ（ｎ＝pｋ）個のスキャンラインが具備される。ｎ個のスキャンラインを第１〜第６グループＧ１〜Ｇ６に対応するように６個のグループに分割すれば、各グループＧ１〜Ｇ６にはｋ（ｎ／６）個のスキャンラインを対応させることができる。第１区間Ａ１は、表示パネル１００に映像を表示する単位として定義される１フレーム区間ＦＲ１をグループの個数（ｐ＝６）で割った値として定義されてもよい。
【００５４】
表示パネル１００に具備された全体６ｋ（６ｋ＝ｎ）個のスキャンラインには６ｋ個のスキャン信号Ｓ１〜Ｓｋ、Ｓｋ＋１〜Ｓ２ｋ、．．．Ｓ５ｋ＋１〜Ｓ６ｋが順に印加される。６ｋ個のスキャン信号Ｓ１〜Ｓｋ、Ｓｋ＋１〜Ｓ２ｋ、．．．Ｓ５ｋ＋１〜Ｓ６ｋの各々は、一水平走査区間（以下、１Ｈ区間）の間、ハイ状態に生成される。ここで、各スキャン信号Ｓ１〜Ｓ６ｋのハイ区間は、各スキャンラインＳＬのターンオン区間として定義することができる。
【００５５】
また、第１〜第６ブロックグループＧ１〜Ｇ６の各々に対応するｋ個のスキャンラインにｋ個のスキャン信号Ｓ１〜Ｓｋ、Ｓｋ＋１〜Ｓ２ｋ、．．．Ｓ５ｋ＋１〜Ｓ６ｋが順に印加されることにかかる時間は、第１時間Ａ１として定義することができる。例えば、第１グループＧ１に対応するｋ個のスキャンラインにｋ個のスキャン信号Ｓ１〜Ｓｋを順に印加するのに、第１時間Ａ１がかかるとすることができる。
【００５６】
第１〜第６グループＧ１〜Ｇ６の各々は、対応するスキャンラインにスキャン信号Ｓ１〜Ｓｋ、Ｓｋ＋１〜Ｓ２ｋ、．．．Ｓ５ｋ＋１〜Ｓ６ｋが印加される第１時間Ａ１の間、ターンオンされ得る。すなわち、第１グループＧ１に含まれるラジエーション２２０は第１グループＧ１に対応するｋ個のスキャンラインのうちの１番目のスキャンラインに印加された１番目のスキャン信号Ｓ１の立ち上がりエッジ（ｒｉｓｉｎｇ  ｅｄｇｅ）から第１グループＧ１に対応するｋ個のスキャンラインのうちの最後のスキャンラインに印加された最後のスキャン信号Ｓｋの立ち下がりエッジ（ｆａｌｌｉｎｇ  ｅｄｇｅ）まで連続してターンオンされ得る。第１時間Ａ１後に第１グループＧ１がターンオフ（ｔｕｒｎ  ｏｆｆ）すれば、第２グループＧ２が次の第１時間Ａ１の間ターンオンされる。このような過程を繰り返して、第１〜第６グループＧ１〜Ｇ６の各々は互いに異なる区間でターンオンされる。また、図６に示すように、第１〜第６グループＧ１〜Ｇ６は第１方向Ｄ１に順にターンオンされる。この場合、第１〜第６グループＧ１〜Ｇ６の各々のターンオン区間は互いにオーバーラップされない。
【００５７】
第１〜第６グループＧ１〜Ｇ６の各々のターンオン区間を第１時間Ａ１に短縮すれば、第１〜第６グループＧ１〜Ｇ６の各々を１フレーム区間ＦＲ１の全てで連続してターンオンさせた場合に比較して、バックライトユニット２００で消費する電力を１／６程度に減少させることができる。
【００５８】
また、第１〜第６グループＧ１〜Ｇ６の各々のターンオン区間の長さはセンサの各々に具備されたセンサトランジスタＳＴ１（図３に示す）の特性によって調節可能である。センサトランジスタＳＴ１によってセンシングされた信号がキャパシタＣｓ（図３に示す）に充電するのにかかる時間（以下、充電時間）は、数μｓ程度であるので、各ブロックＢ１〜Ｂ６のターンオン区間を約２．７ｍｓに減少させてもセンサＳＮは正常に赤外線Ｌ２をセンシングすることができる。
【００５９】
図６に示した実施形態によれば、ラジエーション２２０が６個のグループ（ｐ＝６）に分割され、６個のブロックが１フレーム区間ＦＲ１の間、順にターンオンされることによって、ラジエーション２２０の全てが連続してターンオンされる場合と比較して、消費電力を１／６に減少させることができる。
【００６０】
図７は、図４に示したラジエーションソースに供給される駆動電流が増加した場合の複数のブロックのターンオン区間を示すタイミング図である。
【００６１】
図７に示すように、第１〜第６グループＧ１〜Ｇ６に含まれるラジエーション２２０に供給される駆動電流が増加すると、第１〜第６ＰＷＭ信号ＰＳ１〜ＰＳ６の各々のハイ区間は第１時間Ａ１より短くすることができる。
【００６２】
例えば、図６に示したように、第１〜第６ＰＷＭ信号ＰＳ１〜ＰＳ６の各々のハイ区間を第１時間Ａ１として設定した場合、ラジエーション２２０に５０ｍＡの駆動電流を供給すれば、ラジエーション２２０に供給される駆動電流を８０ｍＡに増加させると、第１〜第６ＰＷＭ信号ＰＳ１〜ＰＳ６の各々は第１時間Ａ１より短い第２時間Ａ２だけ、ハイ区間を有することができる。本発明の一例として、第２時間Ａ２は約１．６ｍｓである。このように、ターンオン区間の長さが短くなっても、第１〜第６グループＧ１〜Ｇ６は、図６に示した実施形態に該当するバックライトユニット２００から出射される赤外線Ｌ２の強度と同一の強度の赤外線Ｌ２を出射することができる。
【００６３】
また、図６に示したように、第１〜第６グループＧ１〜Ｇ６の各々のターンオン区間が第１時間Ａ１として設定され、ラジエーション２２０に印加される駆動電流を５０ｍＡから８０ｍＡに増加させると、５０ｍＡの駆動電流が印加された場合に比較して、バックライトユニット２００に具備されるラジエーション２２０の個数を減少させることができる。
【００６４】
図６に示した実施形態に対応するバックライトユニット２００の場合、４３２個のライトソース２１０と、１１５２個のラジエーション２２０を具備しており、ラジエーション２２０に印加される駆動電流を増加させるか、または第１〜第６グループＧ１〜Ｇ６の各々のデューティ比を増加させることにより、バックライトユニット２００に具備されるラジエーション２２０の個数を減少させることができる。
【００６５】
このように、バックライトユニット２００に具備されるラジエーション２２０の個数を減少させるために、第１〜第６グループＧ１〜Ｇ６の各々のデューティ比が増加されると、第１〜第６グループＧ１〜Ｇ６の各々のターンオン区間が部分的にオーバーラップされる可能性もある。ラジエーション２２０に印加される電流の振幅が５０ｍＡより小さく減少すると、各グループは第１時間Ａ１より長い時間の間、ターンオン状態を維持することとなり、その結果、第１〜第６グループＧ１〜Ｇ６のターンオン区間はオーバーラップすることとなる。
【００６６】
図８は、本発明の他の実施形態に係るバックライトユニットの平面図である。図８に示すように、本発明の他の実施形態に係るバックライトユニット２５０は第１方向Ｄ１に沿って分割された第１〜第６グループＧ１〜Ｇ６に区分され、第１〜第６グループＧ１〜Ｇ６の各々には第２方向Ｄ２に沿って分割されたｍ（ｍは２以上の自然数）個のサブグループＳＧ１〜ＳＧ８、ＳＧ９〜ＳＧ１６．．．ＳＧ４１〜ＳＧ４８が含まれる。サブグループＳＧ１〜ＳＧ８、ＳＧ９〜ＳＧ１６．．．ＳＧ４１〜ＳＧ４８の各々はラジエーション２２０を具備する。第１〜第６グループＧ１〜Ｇ６の各々に具備されるラジエーション２２０の数はそれぞれ同一であり、サブブロックＳＧ１〜ＳＧ８、ＳＧ９〜ＳＧ１６．．．ＳＧ４１〜ＳＧ４８の各々に含まれるラジエーション２２０の数もそれぞれ同一である。本発明の一例として、サブブロックＳＧ１〜ＳＧ８、ＳＧ９〜ＳＧ１６．．．ＳＧ４１〜ＳＧ４８の各々には２４個のラジエーション２２０が具備されてもよい。図８では６個のグループＧ１〜Ｇ６と４８個のサブグループＳＧ１〜ＳＧ８、ＳＧ９〜ＳＧ１６．．．ＳＧ４１〜ＳＧ４８を示したが、グループ及びサブグループの数はこれに限定されない。
【００６７】
第１〜第６グループＧ１〜Ｇ６は第１方向Ｄ１に順にターンオンされ、第１〜第６グループＧ１〜Ｇ６の各々に含まれるサブグループＳＧ１〜ＳＧ８、ＳＧ９〜ＳＧ１６．．．ＳＧ４１〜ＳＧ４８は第２方向Ｄ２に順にターンオンされる。サブグループＳＧ１〜ＳＧ８、ＳＧ９〜ＳＧ１６．．．ＳＧ４１〜ＳＧ４８の各々のターンオン区間は図９Ａ及び図９Ｂを参照して具体的に説明する。
【００６８】
図９Ａは、図８に示した第１〜第６グループの各々に対応するスキャンラインに印加されるスキャン信号及びサブグループのターンオン区間を示すタイミング図である。図９Ｂは、図８のサブグループに印加されるサブＰＷＭ信号を示すタイミング図である。
【００６９】
図９Ａに示すように、表示パネル１００には第１〜第６グループＧ１〜Ｇ６の各々に対応してｋ個のスキャンラインが具備される。６ｋ個のスキャン信号Ｓ１〜Ｓｋ、Ｓｋ＋１〜Ｓ２ｋ、．．．Ｓ５ｋ＋１〜Ｓ６ｋは表示パネル１００に具備された全体６ｋ（６ｋ＝ｎ）個のスキャンラインに順に印加される。６ｋ個のスキャン信号Ｓ１〜Ｓｋ、Ｓｋ＋１〜Ｓ２ｋ、．．．Ｓ５ｋ＋１〜Ｓ６ｋの各々は一水平走査区間（以下、１Ｈ区間）の間ハイ状態に生成される。
【００７０】
また、第１〜第６グループＧ１〜Ｇ６の各々に対応するｋ個のスキャンラインにｋ個のスキャン信号Ｓ１〜Ｓｋ、Ｓｋ＋１〜Ｓ２ｋ、．．．Ｓ５ｋ＋１〜Ｓ６ｋが順に印加されるのにかかる時間は第１時間Ａ１として定義する。
【００７１】
第１〜第６グループＧ１〜Ｇ６は、各フレーム区間ＦＲ１、ＦＲ２内で第１方向Ｄ１に順にターンオンされる。また、第１〜第６グループＧ１〜Ｇ６の各々に含まれるサブグループＳＧ１〜ＳＧ４８は、第２方向Ｄ２に順にターンオンされる。
【００７２】
図９Ｂに示すように、第１〜第６グループＧ１〜Ｇ６の各々に含まれるｋ個のサブグループＳＧ１〜ＳＧ４８は、ｋ個のサブＰＷＭ信号ＰＳ１−１〜ＰＳ６−ｋを順に受信する。具体的には、ｋ個のサブＰＷＭ信号ＰＳ１−１〜ＰＳ６−ｋは、第１時間Ａ１の間順にハイ状態に生成される。本発明の一例として、第１サブグループＳＧ１〜第８サブグループＳＧ８に各々印加された第１サブＰＷＭ信号ＰＳ１−１〜第８サブＰＷＭ信号ＰＳ１−ｋは、第１フレーム区間ＦＲ１内で第３時間Ａ３の間ハイ状態に同時に生成される。
【００７３】
第１グループＧ１に含まれる第１サブグループＳＧ１〜第８サブグループＳＧ８は、第１〜第８サブＰＷＭ信号ＰＳ１−１〜ＰＳ１−ｋに応答して第１フレーム区間ＦＲ１内の第３時間Ａ３の間同時にターンオンされることによって、キャパシタＣｓは十分な充電時間を確保することができる（Ａ３＝ＦＲ１／ｐｍ）。第１グループＧ１に含まれる第１〜第８サブグループＳＧ１〜ＳＧ８は、第１時間Ａ１より短い第３時間Ａ３の間ターンオンされる。本発明の一例として、第３時間Ａ３は１番目のスキャン信号Ｓ１が立ち上がり時点（ｒｉｓｉｎｇ  ｔｉｍｅ  ｐｏｉｎｔ）から約０．３ｍｓ経過した時点までに設定してもよいが、第１時間Ａ１より小さいか、または同一の範囲内に、さらに増加させることもできる。
【００７４】
一方、各フレーム区間ＦＲ１、ＦＲ２の間第２〜第６グループＧ２〜Ｇ６の各々に含まれるサブグループＳＧ９〜ＳＧ４８は、前のグループ（ｐｒｅｖｉｏｕｓ  ｇｒｏｕｐ）の１番目のスキャンラインに印加された１番目のスキャン信号の立ち上がりエッジから前のグループの最後のスキャンラインに印加された最後のスキャン信号の立ち下がりエッジまでに設定される区間の間、各グループ内で順にターンオンされる。
【００７５】
具体的に、第２グループＧ２に含まれるサブグループＳＧ９〜ＳＧ１６のうちの第９サブグループＳＧ９は、前のグループ（すなわち、第１グループＧ１）に対応するスキャンラインのうちの１番目のスキャンラインに印加された１番目のスキャン信号Ｓ１の立ち上がりエッジから第４時間Ａ４の間ターンオンされる。短い時間の間スイッチングトランジスタＳＴ２によってキャパシタＣｓがプリチャージされる。次に、第１グループＧ１に対応するスキャンラインのうち最後のスキャンラインに印加された最後のスキャン信号Ｓｋの立ち下がりエッジまで第１０〜第１６サブグループＳＧ１１〜ＳＧ１６の各々が第４時間Ａ４ずつ順にターンオンされる。
【００７６】
第４時間Ａ４は第１時間Ａ１をｍ個で割った値として設定してもよい。本発明の一例として、第１時間Ａ１が２.７ｍｓとして設定され、ｍは８であるので、第４時間Ａ４は約０．３ｍｓとして設定されてもよい。
【００７７】
また、第６グループＧ６に含まれるサブグループＳＧ４１〜ＳＧ４８のうち第４１サブグループＳＧ４１は、前のグループ（すなわち、第５グループＧ５）に対応するスキャンラインのうち１番目のスキャンラインに印加された１番目のスキャン信号Ｓ４ｋ＋１の立ち上がりエッジから第４時間Ａ４の間ターンオンされる。以後、第５グループＧ５に対応するスキャンラインのうちの最後のスキャンラインに印加される最後のスキャン信号Ｓ５ｋの立ち下がりエッジまで、第４２〜第４８サブグループＳＧ４２〜ＳＧ４８の各々が第４時間Ａ４ずつ順にターンオンされる。
【００７８】
同様に、１番目のフレーム区間ＦＲ１の間、第２〜６グループＧ２〜Ｇ６に含まれる第９〜第４８サブグループＳＧ９〜ＳＧ４８も順にターンオンされ得る。
【００７９】
第１〜第４８サブグループＳＧ１〜ＳＧ４８の各々のターンオン時間を第３または第４時間Ａ３、Ａ４に短縮させると、第１〜第４８サブグループＳＧ１〜ＳＧ４８の各々を１フレーム区間ＦＲ１の全部を連続してターンオンさせた場合より消費電力を約１／４８程度に減少させることができる。
【００８０】
一方、２番目のフレーム区間ＦＲ２で第１グループＧ１に含まれるサブグループＳＧ１〜ＳＧ８は、前のフレーム区間（すなわち、１番目のフレーム区間ＦＲ１）の最後のグループ（すなわち、第６グループＧ６）に対応するスキャンラインのうち１番目のスキャンラインに印加された１番目のスキャン信号Ｓ５ｋ＋１の立ち上がりエッジから第４時間Ａ４の間ターンオンされる。以後、第２〜第８サブグループＳＧ１〜ＳＧ８の各々は、第６グループＧ６に対応するスキャンラインのうち最後のスキャンラインに印加された最後のスキャン信号Ｓ６ｋの立ち下がりエッジまで各サブグループごとに第４時間Ａ４ずつ順にターンオンされる。
【００８１】
すなわち、表示装置３００の動作開始の後、１番目のフレーム区間ＦＲ１のみで第１グループＧ１に含まれるサブグループＳＧ１〜ＳＧ８が同時にターンオンされるが、以後のフレーム区間ＦＲ２では順にターンオンされる。
【００８２】
図１０Ａは、本発明の他の実施形態に係るサブグループのターンオン区間を示すタイミング図である。図１０Ｂは、本発明の他の実施形態に係るサブグループに印加されるＰＷＭ信号を示すタイミング図である。
【００８３】
図１０Ａに示すように、表示装置３００の動作開始の後、１番目のフレーム区間ＦＲ１で第１グループＧ１のサブグループＳＧ１〜ＳＧ８がターンオンされないこともある。以後、２番目のフレーム区間ＦＲ２から第１グループＧ１のサブグループＳＧ１〜ＳＧ８は前のフレームの最後のグループＧ６に対応するスキャンラインのスキャン時点に同期してターンオンされてもよい。
【００８４】
図示していないが、表示装置３００の動作が開始され、１番目のフレーム区間ＦＲ１が始まる前に、第１時間Ａ１の間、第１グループＧ１のサブグループＳＧ１〜ＳＧ８の各々は順にターンオンされる。
【００８５】
図１１は、本発明の他の実施形態に係る表示装置の断面図であり、図１２は、図１１に示したバックライトユニットの平面図である。ただし、図１１に示した表示パネル１００は図１に示した表示パネル１００と同一の構造を有するので、図１１に示した表示パネル１００に対する具体的な説明は省略する。
【００８６】
図１１及び図１２に示すように、本発明の他の実施形態に係る表示装置５００はエッジ型バックライトユニット４００を具備する。エッジ型バックライトユニット４００は、導光板４３０、導光板４３０の両側面４３１、４３２に各々具備された第１及び第２ＬＥＤバー（ｂａｒ）４０１、４０２を含む。
【００８７】
導光板４３０は表示パネル１００の下部に具備され、第１及び第２ＬＥＤバー４０１、４０２は導光板４３０の互いに対向する両側面４３１、４３２に各々具備される。複数の第１ライトソース４１１及び複数の第１ラジエーションソース４２１は第１ＬＥＤバー４０１上に実装され、複数の第2ライトソース４１２及び複数の第２ラジエーションソース４２２は第２ＬＥＤバー４０２上に実装される。ここで、第１及び第2ライトソース４１１、４１２はホワイト光を出射するＷ−ＬＥＤであり、第１及び第２ラジエーションそース４２１、４２２は赤外線を出射するＩＲ−ＬＥＤである。
【００８８】
少なくとも一つの第１ラジエーションそース４２１は、第１ＬＥＤバー４０１で互いに隣接する二つの第１ライトソース４１１の間に具備され、少なくとも一つの第２ラジエーションソース４２２は第２ＬＥＤバー４０２で互いに隣接する二つの第2ライトソース４１２の間に具備される。
【００８９】
本発明の一実施形態において、第１及び第２ラジエーションソース ４２１、４２２は、第１方向Ｄ１に沿って分割されたｐ（ｐは２以上の自然数）個のグループ（以下、第１〜第６グループＧ１〜Ｇ６）に区分されてもよい。第１〜第６グループＧ１〜Ｇ６の各々は同一の個数の第１及び第２ラジエーションソース４２１、４２２を含む。
【００９０】
エッジ型バックライトユニット４００において、第１〜第６グループＧ１〜Ｇ６の各々は互いに異なる区間でターンオンされ、第１〜第６グループＧ１〜Ｇ６の各々のターンオン区間は互いにオーバーラップされない。
【００９１】
また、第１〜第６グループＧ１〜Ｇ６は第１方向Ｄ１に順にターンオンされる。本発明の一例として、第１〜第６グループＧ１〜Ｇ６の各々に対応するスキャンラインのうち１番目のスキャンラインに印加された１番目のスキャン信号の立ち上がりエッジから最後のスキャンラインに印加された最後のスキャン信号の立ち下がりエッジまで、第１〜第６グループＧ１〜Ｇ６に含まれる第１及び第２ラジエーションソース４２１、４２２がターンオンされる。第１〜第６グループＧ１〜Ｇ６は図６及び図７に示した本発明の一実施形態と同様の方式でターンオンされる。
【００９２】
これによって、第１〜第６グループＧ１〜Ｇ６の各々を１フレーム区間の全体において連続してターンオンさせた場合と比較して、バックライトユニット２００で消費する電力を減少させることができる。
【００９３】
以上、実施形態を参照して説明したが、当該技術分野の熟練された当業者は特許請求の範囲に記載した本発明の思想及び領域から逸脱しない範囲内で本発明を多様に修正及び変更させることができることが理解され得る。
【符号の説明】
【００９４】
１００  表示パネル                      
１１０  下部基板
１２０  上部基板                        
１３０  タイミングコントローラ
１４０  ゲートドライバ    
１５０  データドライバ
１６０  センサドライバ    
１７０  リードアウト回路
２００、２５０  バックライトユニット          
２１０  ライトソース
２２０  ラジエーション                        
３００  表示装置
【図１】
2011108240.tif 000003
【図２】
2011108240.tif 000004
【図３】
2011108240.tif 000005
【図４】
2011108240.tif 000006
【図５】
2011108240.tif 000007
【図６】
2011108240.tif 000008
【図７】
2011108240.tif 000009
【図８】
2011108240.tif 000010
【図９Ａ】
2011108240.tif 000011
【図９Ｂ】
2011108240.tif 000012
【図１０Ａ】
2011108240.tif 000013
【図１０Ｂ】
2011108240.tif 000014
【図１１】
2011108240.tif 000015
【図１２】
2011108240.tif 000016